(57)【特許請求の範囲】
【請求項１】
設定すべき測定条件を指定するための測定条件指定画面および当該測定条件に関するヘルプメッセージを表示するメッセージ表示画面を表示部に表示させる制御部と、前記ヘルプメッセージのメッセージデータを記憶する記憶部とを備えた測定装置であって、
前記記憶部は、前記メッセージデータとして、前記測定条件毎に対応付けられた前記ヘルプメッセージを表示可能なデータを当該指定される測定条件に関連付けて記憶し、
前記制御部は、前記測定条件指定画面および前記メッセージ表示画面を前記表示部に並べて表示させると共に、当該測定条件指定画面において前記測定条件が指定されたときに、当該指定された測定条件に関連付けられた前記メッセージデータを前記記憶部から読み出して前記メッセージ表示画面に前記ヘルプメッセージを表示させる測定装置。
【請求項２】
前記測定条件に対応付ける前記ヘルプメッセージを任意に設定可能に構成され、
前記制御部は、所定の前記ヘルプメッセージを所定の前記測定条件に対応付けて表示させる指示があったときに、当該所定のヘルプメッセージの前記メッセージデータを生成して当該所定の測定条件に関連付けて前記記憶部に記憶させる請求項１記載の測定装置。
【請求項３】
設定すべき測定条件を指定するための測定条件指定画面および当該測定条件に関するヘルプメッセージを表示するメッセージ表示画面を表示部に表示させる測定装置における画面表示方法であって、前記測定条件指定画面および前記メッセージ表示画面を前記表示部に並べて表示させると共に、当該測定条件指定画面において前記測定条件が指定されたときに、当該指定された測定条件に関連付けられたメッセージデータに基づいて前記メッセージ表示画面に前記ヘルプメッセージを表示させる測定装置における画面表示方法。
【発明の詳細な説明】
【技術分野】
【０００１】
本発明は、測定条件指定画面およびメッセージ表示画面を表示部に表示させる制御部を備えた測定装置、並びにその測定装置における画面表示方法に関するものである。
【背景技術】
【０００２】
この種の測定装置として、操作方法、解決策および参考事項等（ヘルプメッセージ）を表示可能に構成された水質測定装置（以下、「測定装置」ともいう）が特開２００４−１６３３４１号公報に開示されている。この測定装置では、測定条件の設定（指定）に際して装置本体を設定モードに操作したときに、例えば「ｐｈ測定設定」とのタイトルの設定画面が表示部に表示される。この場合、この種の測定装置の操作に不慣れなオペレータにとっては、設定画面に表示されている各設定項目の内容（設定項目を表す用語の意味）を理解するのが非常に困難となっている。したがって、この測定装置では、設定画面を表示部に表示させた状態（設定モードの状態）において、操作部のヘルプキーを操作することにより、例えば「操作案内」とのタイトルの解説画面を設定画面上に重ねて表示して、「ｐＨ測定設定」に関する操作案内や機能説明などの解説を表示する構成が採用されている。
【０００３】
具体的には、従来の測定装置では、上記の「ｐｈ測定設定」との設定画面における「温度補償」との設定項目に対応する解説として、例えば、「温度補償とは電極自身の起電力が温度により変化するため、電極を温度補償する機能です。」とのメッセージ（「温度補償」との機能を解説したメッセージ）が予め対応付けられて記憶されている。また、「ｐＨ測定設定」との設定画面において「温度補償」との設定項目が選択された状態においてヘルプキーが操作されたときには、設定画面上に解説画面が重ねて表示されて、その解説画面内に上記のメッセージが表示される。これにより、解説画面内のメッセージ（解説）を参照させて、設定画面における「温度補償」との設定項目の内容をオペレータに理解させて、測定に必要な設定操作を実行させることが可能となる。
【特許文献１】特開２００４−１６３３４１号公報（第３−５頁、第３−６図）
【発明の開示】
【発明が解決しようとする課題】
【０００４】
ところが、従来の測定装置には、以下の問題点が存在する。すなわち、従来の測定装置では、設定画面を表示させた状態（設定モードの状態）においてヘルプキーが操作されたときに、設定画面に表示している設定項目の内容（その設定項目の設定によって変更される機能の内容）を解説するメッセージの解説画面を設定画面上に重ねて表示させる構成が採用されている。しかしながら、この種の測定装置の操作に不慣れなオペレータにとっては、従来の測定装置のように設定項目の内容を解説する固定的なメッセージが表示されたとしても、所望の測定処理を実行させるために、どのような測定条件を設定すべきかの理解が依然として困難であるという問題点が存在する。
【０００５】
具体的には、従来の測定装置のように、設定項目の内容を解説するメッセージを表示させる構成を波形記録装置に適用して、例えば、信号波形の記録を開始させるための「トリガ種類」との設定項目について「トリガ種類とは、信号波形の記録を開始させる条件についての設定項目です。」とのメッセージ（「トリガ種類」との用語の意味を解説したメッセージ）を解説画面に表示させた場合、この種の測定装置の操作に不慣れなオペレータは、所望の測定処理（記録処理）を実行するために、「レベルトリガ」、「外部トリガ」および「タイマトリガ」等の各種トリガ条件のうちのいずれの条件を指定すべきかをメッセージに基づいて理解するのが非常に困難である。また、例えば「レベルトリガ」との条件を指定したときに、この「レベルトリガ」との条件に関連して設定すべき「しきい値」や「スロープ」等の設定項目についても、どのような条件を指定すれば所望の測定処理時を実行させることができるかを理解するのが困難である。このように、設定項目の内容を解説する固定的なメッセージを表示させる従来の測定装置の構成では、所望の測定処理を実行するための適切な測定条件の指定が困難となっている。
【０００６】
本発明は、かかる問題点に鑑みてなされたものであり、操作に不慣れなオペレータであっても適切な測定条件の指定が可能となるように設定項目について理解し得る測定装置、および測定装置における画面表示方法を提供することを主目的とする。
【課題を解決するための手段】
【０００７】
上記目的を達成すべく請求項１記載の測定装置は、設定すべき測定条件を指定するための測定条件指定画面および当該測定条件に関するヘルプメッセージを表示するメッセージ表示画面を表示部に表示させる制御部と、前記ヘルプメッセージのメッセージデータを記憶する記憶部とを備えた測定装置であって、前記記憶部は、前記メッセージデータとして、前記測定条件毎に対応付けられた前記ヘルプメッセージを表示可能なデータを当該指定される測定条件に関連付けて記憶し、前記制御部は、前記測定条件指定画面および前記メッセージ表示画面を前記表示部に並べて表示させると共に、当該測定条件指定画面において前記測定条件が指定されたときに、当該指定された測定条件に関連付けられた前記メッセージデータを前記記憶部から読み出して前記メッセージ表示画面に前記ヘルプメッセージを表示させる。
【０００９】
さらに、請求項２記載の測定装置は、請求項１記載の測定装置において、前記測定条件に対応付ける前記ヘルプメッセージを任意に設定可能に構成され、前記制御部が、所定の前記ヘルプメッセージを所定の前記測定条件に対応付けて表示させる指示があったときに、当該所定のヘルプメッセージの前記メッセージデータを生成して当該所定の測定条件に関連付けて前記記憶部に記憶させる。
【００１０】
また、請求項３記載の測定装置における画面表示方法は、設定すべき測定条件を指定するための測定条件指定画面および当該測定条件に関するヘルプメッセージを表示するメッセージ表示画面を表示部に表示させる測定装置における画面表示方法であって、前記測定条件指定画面および前記メッセージ表示画面を前記表示部に並べて表示させると共に、当該測定条件指定画面において前記測定条件が指定されたときに、当該指定された測定条件に関連付けられたメッセージデータに基づいて前記メッセージ表示画面に前記ヘルプメッセージを表示させる。
【発明の効果】
【００１１】
請求項１記載の測定装置および請求項３記載の測定装置における画面表示方法によれば、測定条件指定画面において測定条件が指定されたときに、指定された測定条件に関連付けられたメッセージデータに基づいてメッセージ表示画面にヘルプメッセージを表示させることにより、どのような測定条件を指定したときでも設定項目の内容を解説する固定的なメッセージが表示されるだけの従来の測定装置とは異なり、指定される測定条件に応じて、その測定条件に関連付けられたメッセージデータに基づいてヘルプメッセージが動的に変化して表示されるため、この種の測定装置の操作に不慣れな利用者に対しても、適切な測定条件の指定が可能となるように各設定項目について正確かつ容易に理解させることができる。
【００１２】
また、測定条件指定画面およびメッセージ表示画面を表示部に並べて表示させることにより、例えば、測定条件指定画面およびメッセージ表示画面を切り替えて表示部に表示させる構成と比較して、メッセージ表示画面に表示されたヘルプメッセージを参照しつつ測定条件指定画面の条件指定部に所望の測定条件を指定することができる。このため、この測定装置、および測定装置における画面表示方法によれば、この種の測定装置の操作に不慣れな利用者に対しても、適切な測定条件の指定が可能となるように設定項目について正確かつ容易に理解させることができるだけでなく、所望の測定条件を正確かつ迅速に指定することができる。
【００１３】
さらに、請求項２記載の測定装置によれば、所定のヘルプメッセージを所定の測定条件に対応付けて表示させるように指示されたときに、所定のヘルプメッセージのメッセージデータを生成して所定の測定条件に関連付けて記憶部に記憶させることにより、測定装置の利用環境に応じて、所定の測定条件に対応して表示させるべきヘルプメッセージを予め設定しておくだけで、設定したヘルプメッセージをその所定の測定条件の指定時にメッセージ表示画面に表示させることができる。これにより、この測定装置、および測定装置における画面表示方法によれば、この種の測定装置の操作に不慣れな利用者に対しても、適切な測定条件の指定が可能となるように設定項目について一層正確かつ一層容易に理解させることができる。
【発明を実施するための最良の形態】
【００１４】
以下、本発明に係る測定装置、および測定装置における画面表示方法の最良の形態について、添付図面を参照して説明する。
【００１５】
最初に、測定装置１の構成について、図面を参照して説明する。
【００１６】
図１に示す測定装置１は、本発明に係る測定装置の一例としての波形記録装置であって、測定部２、操作部３、表示部４、制御部５および記憶部６を備えて、後述するようにして、本発明に係る測定装置における画面表示方法に従って、測定条件設定画面１０ａ（図２〜４参照）や測定条件設定画面１０ｂ（図５参照）を表示部４に表示可能に構成されている。測定部２は、制御部５の制御に従って、測定対象体についての各種電気的パラメータ（電流値、電圧値および抵抗値など）を測定して測定値データＤ２を生成し、生成した測定値データＤ２を制御部５に出力する。操作部３は、測定装置１による測定処理の条件（測定条件）を指定するための操作スイッチや、測定処理の開始や停止を指示するための複数の操作スイッチを備え（図示せず）、スイッチ操作に応じた操作信号を制御部５に出力する。表示部４は、制御部５の制御に従い、測定条件設定画面１０ａ，１０ｂ（図２〜５参照）や測定結果表示画面（図示せず）などを表示する。
【００１７】
この場合、測定条件設定画面１０ａ，１０ｂには、本発明における測定条件指定画面に相当する測定条件指定部１１と、本発明におけるメッセージ表示画面に相当するメッセージ表示部１２とが上下方向において並んで１画面上に同時に表示されている。また、測定条件指定部１１には、所望の測定処理を実行させるために測定装置１に対して設定すべき各種設定項目を表示する項目表示部１１ａ（例えば、図２に示す測定条件設定画面１０ａにおける「トリガ種類」、「しきい値」および「スロープ」）と、各設定項目毎に指定すべき測定条件の条件指定部１１ｂ（例えば、図２に示す測定条件設定画面１０ａにおいて「レベルトリガ」、「２．０Ｖ」および「ＵＰ」との条件が指定されている枠部）と、任意の条件指定部１１ｂを選択するカーソル表示１３とが表示されている。さらに、メッセージ表示部１２には、測定条件指定部１１における上記の条件指定部１１ｂに表示された測定条件（指定された測定条件）に関するヘルプメッセージが表示されている。
【００１８】
制御部５は、測定装置１の測定条件を設定する条件設定処理の実行を指示されたときに、本発明に係る測定装置における画面表示方法に従って上記の測定条件設定画面１０ａ，１０ｂを表示部４に表示させる。また、制御部５は、測定条件設定画面１０ａ，１０ｂにおいて、上記の条件指定部１１ｂに所定の測定条件が指定されたときに、その測定条件に関連付けられているメッセージデータＤ１を記憶部６から読み出して、読み出したメッセージデータＤ１，Ｄ１ａに基づくヘルプメッセージ（測定条件に対応付けられたヘルプメッセージ）をメッセージ表示部１２に表示させる。さらに、制御部５は、所定の測定条件に対応させて表示させるヘルプメッセージが利用者によって指定されたときに、指定されたヘルプメッセージのメッセージデータＤ１ａを生成して記憶部６に記憶させる。また、制御部５は、測定条件設定画面１０ａ，１０ｂにおいて指定された各測定条件に基づいて測定条件データを生成して記憶部６に記憶させると共に、測定条件データに基づく測定処理を測定部２に実行させ、その際に出力される測定値データＤ２を記憶部６に記憶させる。記憶部６は、上記のメッセージデータＤ１，Ｄ１ａ、測定条件データおよび測定値データＤ２を記憶すると共に、制御部５の動作プログラムを記憶する。
【００１９】
次に、測定装置１の使用方法について、図面を参照して説明する。
【００２０】
この測定装置１によって測定対象体についての電気的パラメータを測定する（測定値データＤ２を記録する）際には、まず、その測定条件（測定値データＤ２の記録条件）を設定する。具体的には、操作部３のスイッチ操作により、図２に示すように、測定条件設定画面１０ａを表示部４に表示させる。この場合、表示部４に測定条件設定画面１０ａを表示させた時点においては、「トリガ種類」、「しきい値」および「スロープ」との３つの設定項目が測定条件指定部１１に表示されると共に、各設定項目毎の初期設定値（デフォルトの測定条件または前回の設定値）として「レベルトリガ」、「２．０Ｖ」および「ＵＰ」との測定条件が指定されて各条件指定部１１ｂにそれぞれ表示される。この際に、制御部５は、指定されている測定条件（この例では、初期設定値）に関連付けられているメッセージデータＤ１を記憶部６から読み出して、同図に示すヘルプメッセージをメッセージ表示部１２に表示させる。
【００２１】
具体的には、制御部５は、「トリガ種類」との設定項目に対して指定された「レベルトリガ」との測定条件に関連付けられているメッセージデータＤ１に基づき、「入力波形が○○○を●●●ときに、トリガが成立して、測定が開始されます。」とのメッセージ（「○○○」や「●●●」の部位は、他の設定項目についての測定条件に対応付けられたメッセージが挿入される部位）を表示させる。また、制御部５は、「しきい値」との設定項目に対して指定された「２．０Ｖ」との測定条件に関連付けられているメッセージデータＤ１に基づき、上記の「レベルトリガ」との測定条件に対応付けられているメッセージにおける「○○○」の部位に「２．０Ｖ」とのメッセージを代入して表示させると共に、「スロープ」との設定項目に対して指定された「ＵＰ」との測定条件に関連付けられているメッセージデータＤ１に基づき、上記の「レベルトリガ」との測定条件に対応付けられているメッセージにおける「●●●」の部位に「上回った」とのメッセージを代入して表示させる。これにより、「入力波形（信号レベル）が２．０Ｖを上回ったときに、トリガが成立して、測定が開始されます。」とのヘルプメッセージがメッセージ表示部１２に表示される。
【００２２】
したがって、メッセージ表示部１２に表示されたヘルプメッセージに基づき、利用者に対して、「トリガ種類」、「しきい値」および「スロープ」との３つの設定項目について、「レベルトリガ」、「２．０Ｖ」および「ＵＰ」との測定条件を指定した状態において、実際にどのような測定処理（記録処理）が実行されるかを認識させることができる。この際に、利用者が、例えば、入力波形が２．０Ｖを下回ったときに、測定処理を開始するのを所望している場合には、表示されているヘルプメッセージによって、所望の測定処理とは相違する測定処理が実行される測定条件が指定されていると認識する。この際には、操作部３を操作して、カーソル表示１３を「スロープ」との設定項目の条件指定部１１ｂまで移動させ、図３に示すように、「ＵＰ」との測定条件に代えて「ＤＯＷＮ」との測定条件を指定する。
【００２３】
この際に、制御部５は、「スロープ」との設定項目に対して新たに指定された「ＤＯＷＮ」との測定条件に関連付けられているメッセージデータＤ１に基づき、上記のヘルプメッセージにおける「ＵＰ」との測定条件に対応付けられている「上回った」とのメッセージに代えて「下回った」とのメッセージを代入してメッセージ表示部１２に表示させる。これにより、メッセージ表示部１２に表示されていたヘルプメッセージが新たな測定条件の指定に応じて変更されて、図３に示すように、「入力波形（信号レベル）が２．０Ｖを下回ったときに、トリガが成立して、測定が開始されます。」とのヘルプメッセージがメッセージ表示部１２に表示されて、利用者は、所望の測定処理が実行される測定条件を指定できたと認識する。
【００２４】
一方、上記の「レベルトリガ」との測定条件に代えて、入力波形の周期が所定条件を満たしたときに測定処理を開始させるときには、「トリガ種類」との設定項目について、上記の「レベルトリガ」に代えて「周期トリガ」との測定条件を指定する。具体的には、操作部３を操作して、カーソル表示１３を「トリガ種類」との設定項目についての条件指定部１１ｂまで移動させ、「レベルトリガ」に代えて「周期トリガ」との測定条件を指定する。この際に、図４に示すように、制御部５は、指定された「周期トリガ」との測定条件に応じて「周期」との新たな設定項目についての条件指定部１１ｂを測定条件指定部１１に表示させると共に、この「周期」の初期設定値として「１０ｍｓ」との測定条件を指定する。
【００２５】
また、制御部５は、「トリガ種類」について新たに指定された「周期トリガ」との測定条件に関連付けられているメッセージデータＤ１を記憶部６から読み出すと共に、「入力波形の周期が、◎◎◎以下になったときに、トリガが成立して、測定が開始されます。」とのメッセージ（「◎◎◎」の部位は、他の設定項目についての測定条件に対応付けられたメッセージが挿入される部位）をメッセージ表示部１２に表示させる。さらに、制御部５は、「周期」との設定項目に対して指定されている「１０ｍｓ」との測定条件に関連付けられているメッセージデータＤ１に基づき、上記の「周期トリガ」との測定条件に対応付けられたメッセージにおける「◎◎◎」の部位に「１０ｍｓ（１００Ｈｚ）」とのメッセージを代入して表示させる。これにより、「入力波形の周期が、１０ｍｓ（１００Ｈｚ）以下になったときに、トリガが成立して、測定が開始されます。」とのヘルプメッセージがメッセージ表示部１２に表示される。したがって、メッセージ表示部１２に表示されたヘルプメッセージに基づき、利用者に対して、「トリガ種類」として「周期トリガ」を指定すると共に、「周期」として「１０ｍｓ」を指定した状態において、実際にどのような測定処理（記録処理）が実行されるかを認識させることができる。
【００２６】
一方、この測定装置１では、各種測定条件に対応させて表示させるヘルプメッセージを任意に設定する（登録する）ことが可能となっている。具体的には、一例として、電子機器の製造現場において、電子機器の生産技術担当者が、任意の電圧レンジで電子機器についての電圧測定処理（電気的検査処理）を実行させようとしたときに、実行すべき電圧測定処理の電圧レンジを指示するヘルプメッセージを測定装置１に登録する。この際に、生産技術担当者は、操作部３を操作することにより、一例として、「メモリハイコーダの検査時には、１Ｖに設定し、波形判定器では、５Ｖに設定して下さい。不良発生時には、生産技術担当者まで。」とのヘルプメッセージを「電圧レンジ」との設定項目のすべての測定条件に対応付けるように指示する。これに応じて、制御部５は、上記のヘルプメッセージに基づいてメッセージデータＤ１ａを生成し、生成したメッセージデータＤ１ａを「電圧レンジ」との設定項目のすべての測定条件に対応付けて記憶部６に記憶させる。
【００２７】
なお、メッセージデータＤ１ａの生成および記憶処理については、上記の例のように操作部３の操作によって指定されたヘルプメッセージに基づいて測定装置１内で生成する方法に限定されず、図示しない外部装置（例えば、パーソナルコンピュータ）等において生成したメッセージデータＤ１ａを所定の測定条件に関連付けて記憶部６に記憶させる方法を採用することもできる。一方、測定装置１の利用者（電子機器の検査員）が、電子機器の検査に際して、図５に示すように、測定装置１の表示部４に電圧測定処理用の測定条件設定画面１０ｂを表示させたときには、制御部５が、一例として、「電圧レンジ」との設定項目の条件指定部１１ｂに「５Ｖ」との測定条件を初期設定値（デフォルトの測定条件）として指定すると共に、この「５Ｖ」との測定条件に関連付けられている上記のメッセージデータＤ１ａを記憶部６から読み出して、生産技術担当者によって指定されたヘルプメッセージをメッセージ表示部１２に表示させる。これにより、例えば、メモリハイコーダの検査を実行しようとしている場合には、メッセージ表示部１２に表示されたヘルプメッセージを見た利用者が、上記の「５Ｖ」との測定条件に代えて「１Ｖ」との測定条件を指定して電圧測定処理を実行する。
【００２８】
このように、この測定装置１、および測定装置１における画面表示方法によれば、測定条件指定部１１の条件指定部１１ｂに測定条件が指定されたときに、指定された測定条件に関連付けられたメッセージデータＤ１に基づいてメッセージ表示部１２にヘルプメッセージを表示させることにより、どのような測定条件を指定したときでも設定項目の内容を解説する固定的なメッセージが表示されるだけの従来の測定装置とは異なり、測定条件が指定される都度、その測定条件に関連付けられたメッセージデータＤ１，Ｄ１ａに基づいてヘルプメッセージが動的に変化して表示されるため、この種の測定装置の操作に不慣れな利用者に対しても、適切な測定条件の指定が可能となるように各設定項目について正確かつ容易に理解させることができる。
【００２９】
また、この測定装置１、および測定装置１における画面表示方法によれば、測定条件指定部１１およびメッセージ表示部１２を表示部４に並べて同時に表示させることにより、例えば、測定条件指定部１１およびメッセージ表示部１２を切り替えて表示部４に表示させる構成と比較して、メッセージ表示部１２に表示されたヘルプメッセージを参照しつつ測定条件指定部１１の条件指定部１１ｂに所望の測定条件を指定することができる。このため、この測定装置１、および測定装置１における画面表示方法によれば、この種の測定装置の操作に不慣れな利用者に対しても、適切な測定条件の指定が可能となるように設定項目について正確かつ容易に理解させることができるだけでなく、所望の測定条件を正確かつ迅速に指定することができる。
【００３０】
さらに、この測定装置１、および測定装置１における画面表示方法によれば、制御部５が、所定のヘルプメッセージを所定の測定条件に対応付けて表示させる指示があったときに、所定のヘルプメッセージのメッセージデータＤ１を生成して所定の測定条件に関連付けて記憶部６に記憶させることにより、測定装置１の利用環境に応じて、所定の測定条件に対応して表示させるべきヘルプメッセージを予め設定しておくだけで、設定したヘルプメッセージをその所定の測定条件の指定時にメッセージ表示部１２に表示させることができる。これにより、この測定装置１、および測定装置１における画面表示方法によれば、この種の測定装置の操作に不慣れな利用者に対しても、適切な測定条件の指定が可能となるように設定項目について一層正確かつ一層容易に理解させることができる。
【００３１】
なお、本発明は、上記した構成および方法に限定されない。例えば、本発明は、波形記録装置に限らず、電圧測定装置、電流測定装置、電力測定装置を初めとして、各種の測定装置に適用が可能である。
【図面の簡単な説明】
【００３２】
【図１】測定装置１の構成を示すブロック図である。
【図２】測定条件を設定する際の測定条件設定画面１０ａを示す第１の説明図である。
【図３】測定条件を設定する際の測定条件設定画面１０ａを示す第２の説明図である。
【図４】測定条件を設定する際の測定条件設定画面１０ａを示す第３の説明図である。
【図５】測定条件を設定する際の測定条件設定画面１０ｂを示す第１の説明図である。
【符号の説明】
【００３３】
１  測定装置
３  操作部
４  表示部
５  制御部
６  記憶部
１０ａ，１０ｂ  測定条件設定画面
１１  測定条件指定部
１２  メッセージ表示部
１３  カーソル表示
Ｄ１，Ｄ１ａ  メッセージデータ
【図１】
0005323365.tif 000002
【図２】
0005323365.tif 000003
【図３】
0005323365.tif 000004
【図４】
0005323365.tif 000005
【図５】
0005323365.tif 000006